(57)【要約】   【課題】  装着の容易な、サイズ調節ができる鳥用オムツを提供する。  【解決手段】  この鳥用オムツには、鳥の腹側にあてる前身頃01と、背中側にあてる背あて03があり、前身頃01と背あて03は、肩ひも02で繋がっている。そして、前身頃01の後側端部の左右に一つずつ背あてどめ04がある。オムツの装着は、鳥の頭部を肩ひも02の間に内側から通し、前身頃01を鳥の腹側に沿わす。そして、背あてどめ04を鳥の尾の左右から背中側に出し、背あて03ととめて装着させる。【選択図】  図1
0003123328.tif 000002
【実用新案登録請求の範囲】
【請求項１】
鳥の腹側にあてるフン受け部を備えた前身頃と、背中側にあてる背あてがあり、前身頃と背あての前方部分を繋ぎ鳥の頭部挿入部分を備えた一対の肩ひもと、前身頃と背あての後方部分を留める背あてどめとで構成される鳥用オムツで、前記背あてどめは、前記前身頃の後側端部に左右一つずつある。オムツの装着に際しては、鳥の頭部を一対の肩ひもの間の頭部挿入部分に通し、前身頃を鳥の腹側に当て、背あてを鳥の背中側に沿わせ、背あてどめをそれぞれ鳥の尾の左右から背中側に出し、背あてに装着させることを特徴とする鳥用オムツ。
【請求項２】
前記肩ひもは、その長さが調節可能となっていることを特徴とする請求項１に記載の鳥用オムツ。
【考案の詳細な説明】
【技術分野】
【０００１】
本考案は、室内で飼養されているインコ等の小鳥が、室内にフン等の汚物を飛散するのを防止する為に、小鳥に装着させるオムツに関する。
【背景技術】
【０００２】
人に飼養されているインコ等の“手乗り鳥”は、鳥の健康維持や飼い主とのコミュニケーションを図るために、放鳥タイムを設け、鳥カゴから出し、部屋を自由に飛び回らせたり、飼い主の肩にとまらせたりして遊ばせる習慣がある。
【０００３】
しかし、小鳥にトイレの躾をするのは困難で、フンで部屋や衣服が汚れてしまう。
これでは、掃除は大変だし、不衛生である。
【０００４】
小鳥にオムツを装着すれば、放鳥時のフンの問題は解決できる。
現在、“鳥用のオムツ”として、鳥の脚と翼を穴に通す方法で装着する従来品がある。
【０００５】
図3と図4に従来品の図を示す。
鳥100の脚101を、脚・翼挿入部分09に通す。次に、翼102を脚・翼挿入部分09に通す。背あて03を鳥100の背中部分でとめる。
【０００６】
【特許文献１】文献番号  US-AI-005934226
【考案の開示】
【考案が解決しようとする課題】
【０００７】
従来の“鳥用のオムツ”は、鳥の脚と翼を穴に通す方法で装着する為、鳥が嫌がって暴れたりした場合、脚や羽が折れる危険性がある。
【０００８】
脚と翼を、それぞれ穴に通す方法なので、装着するのに時間がかかる。
【０００９】
鳥の種類ごとの大まかなサイズ展開しか無く、鳥の個体に合った微妙なサイズ調節ができない。
【００１０】
本考案は、より簡単に安全に、鳥に装着することができ、微妙なサイズ調節のできるオムツを提供することを課題とする。
【課題を解決するための手段】
【００１１】
本考案は、以上の点を解決するために、従来の“鳥用のオムツ”の構造を変え、鳥の頭部を穴に通す装着方法を採用し、より簡単に安全に鳥に装着することと、肩ひもの長さを調節することにより、サイズを鳥に合わせることが可能になった。
【考案の効果】
【００１２】
本考案の“鳥用のオムツ”には、次のような効果がある。
鳥の頭部は、比較的容易に穴に通すことができ、装着するのに時間がかからない。
鳥の脚や翼等、繊細な部分に負担をかけずに装着することができる。
鳥の個体に合わせた微妙なサイズ調節ができる。
【考案を実施するための最良の形態】
【００１３】
以下、本考案を図１と図２を用いて説明する。
【００１４】
本考案の鳥用オムツは、洗濯が可能な布等の素材でできていて、洗濯することにより清潔を保ち、繰り返し使用することができる。
【００１５】
鳥100の体に装着させ、フンをフン受け部07で受け止める。フン受け部07は防水効果のある素材を使用し、前身頃01と重ねてあり、フンが外に染み出ない効果がある。また、フン受け部07は、フンが鳥の体に触れにくいように立体的に外側に飛び出した形になっている。
【００１６】
フン受け部07に、吸水性シートや、ティッシュペーパー等を敷き、フンが、直接オムツ本体を汚すのを防げば、オムツの洗濯回数を減らすことができる。
【００１７】
背あて03の内側部分と、背あてどめ04の外側部分、肩ひも可動部05の外側部分には面ファスナーが付いている。その為、背あて03と背あて留め04とをとめたり、背あて03と肩ひも可動部05のとめる位置を移動させることができ、肩ひも02の長さの微調節が可能だ。
【００１８】
鳥用オムツは次のようにして装着する。
鳥100の頭部103を、頭部挿入部分08に内側から通す。前身頃01を鳥100の腹部側にあて、背あてどめ04をそれぞれ尾104の左右から鳥100の背中側に出し、背あて03にとめる。
【００１９】
以上、本考案の実施の形態及び実施例を説明したが、本考案の範囲はこれに限定されるものではない。例えば、背あて03と、肩ひも可動部05や背あてどめ04をとめる方法は、面ファスナーが簡単に脱着できて便利であるが、バックルやフック等、より接着強度の高いものを採用してもよい。接着強度が高まれば、リード等、鳥の飛行範囲を限定する器具の取り付けも可能になる。
【図面の簡単な説明】
【００２０】
【図１】本考案の鳥用オムツの内側を示す平面図である。
【図２】図１の鳥用オムツの装着状態を示す側面図である。
【図３】従来の鳥用オムツの背面図である。
【図４】図３の鳥用オムツの装着状態を示す側面図である。
【符号の説明】
【００２１】
01.  前身頃(鳥の腹部側を覆う)
02.  肩ひも(前身頃と背あてを繋ぐ)
03.  背あて(鳥の背中側にあて、オムツを固定する部分)
04.  背あてどめ(前身頃と背あてをとめる部分)
05.  肩ひも可動部(背あてにとめる位置で肩ひもの長さを調節する部分)
06.  肩ひも通し(肩ひもを背あての真ん中にまとめておく部分)
07.  フン受け部(鳥がしたフンを受け止める部分)
08.  頭部挿入部分(オムツを鳥に装着させる際に、鳥の頭部を通す部分)
09.  脚・翼挿入部分(オムツを鳥に装着させる際に、鳥の脚と翼を通す部分)
100. 鳥
101. 脚(鳥の脚)
102. 翼(鳥の翼)
103. 頭部(鳥の頭部)
104. 尾(鳥の尾)
【図１】
0003123328.tif 000003
【図２】
0003123328.tif 000004
【図３】
0003123328.tif 000005
【図４】
0003123328.tif 000006
【手続補正書】
【提出日】平成18年5月8日(2006.5.8)
【手続補正１】
【補正対象書類名】実用新案登録請求の範囲
【補正対象項目名】請求項１
【補正方法】変更
【補正の内容】
【請求項１】
次の各要素(1)〜(4)を備えた事を特徴とする鳥用オムツ。
(1) 鳥の腹側にあてるフン受け部を備えた前身頃
(2) 鳥の背中側にあてる背あて
(3) 前身頃と背あての前方部分を繋ぐ一対の肩ひも
(4) 前身頃の後側端部に左右一つずつある、前身頃と背あての後方部分を留める背あてどめ
【手続補正２】
【補正対象書類名】明細書
【補正対象項目名】００１１
【補正方法】変更
【補正の内容】
【００１１】
本考案は、以上の点を解決するために、従来の“鳥用のオムツ”の構造を変え、鳥の頭部を穴に通す装着方法を採用し、より簡単に安全に鳥に装着することと、肩ひもの長さを調節することにより、サイズを鳥に合わせることが可能になった。
すなわち、本考案は次の各要素(1)〜(4)を備えた事を特徴とする鳥用オムツである。
(1) 鳥の腹側にあてるフン受け部を備えた前身頃
(2) 鳥の背中側にあてる背あて
(3) 前身頃と背あての前方部分を繋ぐ一対の肩ひも
(4) 前身頃の後側端部に左右一つずつある、前身頃と背あての後方部分を留める背あてどめ